(57)【特許請求の範囲】
【請求項１】
光源が発した光を変調して投射するプロジェクターであって、
画像ソースから画像を取得する画像取得手段と、
前記画像に基づいて、前記光源が発した光を変調する変調手段と、
前記光源から射出される光量を減光する調光機構と、
前記画像に基づいて、前記調光機構による調光制御を行う調光制御手段と、
前記調光制御を開始してからの経過時間をカウントするタイマーと、を備え、
前記調光制御の実行中において前記画像の輝度が規定値以下の場合に、前記タイマーのカウントを実行し、前記調光制御の実行中において前記画像の輝度が前記規定値より高い場合に、前記タイマーのカウントを停止し、前記タイマーのカウント値が所定の値に達すると前記調光制御の実行を停止し、かつ、前記光源から射出される光量を減光しないよう前記調光機構を制御すること、
を特徴とするプロジェクター。
【請求項２】
光源が発した光を変調して投射するプロジェクターであって、
画像ソースから画像を取得する画像取得手段と、
前記画像に基づいて、前記光源が発した光を変調する変調手段と、
前記光源から射出される光量を減光する調光機構と、
前記画像に基づいて、前記調光機構による調光制御を行う調光制御手段と、
前記調光制御を開始してからの経過時間をカウントするタイマーと、を備え、
前記調光制御の実行中において前記画像の輝度が規定値以下の場合に、前記タイマーのカウントを実行し、前記調光制御の実行中において前記画像の輝度が前記規定値より高い場合に、前記タイマーのカウントを停止し、前記タイマーのカウント値が所定の値に達すると前記調光制御の実行を停止し、かつ、前記調光機構による減光レベルを低下させる制御を行うことを特徴とするプロジェクター。
【請求項３】
前記調光制御の実行中において前記画像の輝度が前記規定値より高い場合に、前記タイマーのカウントを停止し、かつ、前記タイマーのカウント値をリセットすることを特徴とする請求項１または２記載のプロジェクター。
【請求項４】
前記調光制御手段は、前記調光制御において前記調光機構による減光状態を少なくとも複数段階に変化させることを特徴とする請求項１から３のいずれかに記載のプロジェクター。
【請求項５】
光源と、前記光源から射出される光量を減光する調光機構とを備え、前記光源が発した光を前記調光機構により減光して投射するプロジェクターの制御方法であって、
画像ソースから画像を取得し、
前記画像に基づいて前記光源が発した光を変調し、
前記画像に基づいて前記調光機構による調光制御を行い、
前記調光制御の実行中において前記画像の輝度が規定値以下の場合に、前記調光制御を開始してからの経過時間のカウントを実行し、
前記調光制御の実行中において前記画像の輝度が規定値より高い場合に、前記経過時間のカウントを停止し、
前記経過時間のカウント値が所定の値に達すると前記調光制御の実行を停止し、前記光源から射出される光量を減光しないよう前記調光機構を制御すること、
を特徴とするプロジェクターの制御方法。
【請求項６】
光源と、前記光源から射出される光量を減光する調光機構とを備え、前記光源が発した光を前記調光機構により減光して投射するプロジェクターの制御方法であって、
画像ソースから画像を取得し、
前記画像に基づいて前記光源が発した光を変調し、
前記画像に基づいて前記調光機構による調光制御を行い、
前記調光制御の実行中において前記画像の輝度が規定値以下の場合に、前記調光制御を開始してからの経過時間のカウントを実行し、
前記調光制御の実行中において前記画像の輝度が規定値より高い場合に、前記経過時間のカウントを停止し、
前記経過時間のカウント値が所定の値に達すると前記調光制御の実行を停止し、前記調光機構による減光レベルを低下させる制御を行うこと、
を特徴とするプロジェクターの制御方法。
【発明の詳細な説明】
【技術分野】
【０００１】
本発明は、画像を投射するプロジェクター、及び、プロジェクターの制御方法に関する。
【背景技術】
【０００２】
従来、光源の放射光を変調して投射面に投射するプロジェクターにおいて、ダイナミックレンジを拡大してより高画質の画像を投射するため、投射する画像に応じて、光を変調するライトバルブに入射する光量を変化させるものが知られている（例えば特許文献１）。特許文献１記載の構成では、光量を調節する調光装置として、光源の前方に可動式の遮光板を配置し、放射光の一部を遮ることで光量の調節を可能としている。ところが、調光状態が長く続くと光の吸収や散乱によって遮光板が過熱される可能性がある。その対策として、例えば特許文献１記載の構成では、遮光板を冷却する冷却装置を設けている。
【先行技術文献】
【特許文献】
【０００３】
【特許文献１】特開２００４−３６２８２０号公報
【発明の概要】
【発明が解決しようとする課題】
【０００４】
しかしながら、光源が高出力である場合や調光装置と光源とが近接している場合など、冷却装置による冷却が間に合わないことも想定され、大きな冷却能力を確保する必要があった。さらに、調光装置の温度に応じて冷却能力を制御する必要も生じ、制御が複雑になるという問題もあった。
本発明は、上述した事情に鑑みてなされたものであり、調光装置の過熱を防止するとともに、効率的な制御を行うことが可能なプロジェクター、及び、プロジェクターの制御方法を提供することを目的とする。
【課題を解決するための手段】
【０００５】
上記目的を達成するために、本発明は、光源が発した光を変調して投射するプロジェクターであって、画像ソースから画像を取得する画像取得手段と、前記画像取得手段により取得された画像に基づいて前記光源が発した光を変調する変調手段と、前記光源から射出される光量を減光する調光機構と、前記画像取得手段により取得された画像に基づいて、前記調光機構による調光制御を行う調光制御手段と、を備え、前記調光制御手段は、当該プロジェクターの動作状態または前記画像取得手段により取得された画像の状態の少なくともいずれかが予め設定された条件に該当する場合に、前記調光制御の実行を停止することを特徴とする。
本発明によれば、予め設定された条件に該当する場合に調光制御の実行を停止するので、例えば調光制御を行う必要がない場合に不要な調光制御を省き、調光機構の過熱を防止するとともに、処理効率の向上を図ることができる。
【０００６】
また、本発明は、上記プロジェクターにおいて、前記調光制御手段は、当該プロジェクターの動作状態または前記画像取得手段により取得された画像の状態の少なくともいずれかが予め設定された条件に該当する場合に、前記調光制御の実行を停止し、かつ、前記光源から射出される光量を減光しないよう前記調光機構を制御することを特徴とする。
本発明によれば、調光制御を停止する際に、調光機構の温度が上昇しない状態とすることで、より確実に調光機構の過熱を防止できる。
【０００７】
また、本発明は、上記プロジェクターにおいて、前記調光制御手段は、前記調光機構が所定の調光状態を継続した場合に、前記調光機構による減光レベルを低下させる制御を行うことを特徴とする。
ここで、減光レベルとは調光機構により光量を減光させる程度を指し、減光レベルが大きいほど光量が大きく減光させることになる指標であり、具体的な減光レベルの指標はどのようなものであってもよい。
本発明によれば、減光レベルを低下させることにより調光機構の過熱を防止できる。
【０００８】
また、本発明は、上記プロジェクターにおいて、前記画像取得手段は、外部の装置から入力される画像を取得するものであり、前記調光制御手段は、前記外部の装置からの画像の入力が停止した場合に、前記調光制御の実行を停止することを特徴とする。
本発明によれば、入力される画像がなく調光を行う必要がない場合に、不要な調光制御を停止できる。
【０００９】
また、本発明は、上記プロジェクターにおいて、前記光源が発した光を遮るシャッター機構を備え、前記調光制御手段は、前記シャッター機構により光が遮られる場合は、前記調光制御の実行を停止することを特徴とする。
本発明によれば、シャッター機構によって光が遮られ、調光を行う必要が無い場合に、不要な調光制御を停止できる。
【００１０】
また、本発明は、上記プロジェクターにおいて、前記調光機構は、前記変調手段によって光量を所定の光量以下に減光する場合に、前記調光制御の実行を停止することを特徴とする。
本発明によれば、変調手段によって減光され、調光機構による調光を行う必要が無い場合に、不要な調光制御を停止できる。
【００１１】
また、本発明は、上記プロジェクターにおいて、前記調光制御手段は、前記調光制御において前記調光機構による減光状態を少なくとも複数段階に変化させることを特徴とする。
本発明によれば、減光状態が徐々に変化するので、プロジェクターが投射する画像を見る人に奇異な印象を抱かせることなく調光制御を行うことができる。
【００１２】
また、上記目的を達成するために、本発明は、光源と、前記光源から射出される光量を減光する調光機構とを備え、前記光源が発した光を前記調光機構により減光して投射するプロジェクターの制御方法であって、画像ソースから画像を取得し、取得した画像に基づいて前記光源が発した光を変調し、取得した画像に基づいて前記調光機構による調光制御を行い、前記プロジェクターの動作状態または前記画像取得手段により取得された画像の状態の少なくともいずれかが予め設定された条件に該当する場合には、前記調光制御の実行を停止することを特徴とする。
本発明によれば、予め設定された条件に該当する場合に調光制御の実行を停止するので、例えば調光制御を行う必要がない場合に不要な調光制御を省き、調光機構の過熱を防止するとともに、処理効率の向上を図ることができる。
【発明の効果】
【００１３】
本発明によれば、効率よく、調光による部材の過熱を防止することができる。
【図面の簡単な説明】
【００１４】
【図１】実施形態に係るプロジェクターが備える照明装置の側面図及び平面図である。
【図２】プロジェクター及び画像供給装置を含むプロジェクションシステムの機能的構成を示すブロック図である。
【図３】プロジェクターの動作を示すフローチャートである。
【図４】調光装置の強制開放制御に係る設定項目の具体例を示す図表である。
【図５】プロジェクターの動作を示すフローチャートである。
【図６】プロジェクターの動作を示すフローチャートである。
【図７】強制開放制御を行わない場合の調光装置の温度変化の例を示す図表である。
【図８】強制開放制御を実行した場合の調光装置の温度変化の例を示す図表である。
【発明を実施するための形態】
【００１５】
以下、図面を参照して本発明の実施形態について説明する。
図１は、本発明を適用したプロジェクターが備える投射部３の構成を示す要部平面図である。
この図１に示すように、プロジェクター１１は光源としてのランプ２を備え、このランプ２が発した光を、液晶ライトバルブ３９によって変調してスクリーンＳＣ（図２）に投射する。ランプ２は、例えばメタルハライドランプや高圧水銀ランプ等の高輝度ランプにより構成され、図中に示す赤色光Ｌｒ、緑色光Ｌｇおよび青色光Ｌｂを含む光Ｌｗ（以下、これらの各光を区別しないときには「光Ｌ」ともいう）を射出する。
【００１６】
プロジェクター１１は、一対のレンズアレイ２１ａ，２１ｂ、重畳レンズ２２、調光装置３０、液晶ライトバルブ３９ｒ，３９ｇ，３９ｂ（以下、区別しないときには「液晶ライトバルブ３９」ともいう）、ダイクロイックミラー３４ｒ，３４ｂ、反射ミラー３５ａ〜３５ｄ、リレーレンズ３６、プリズム３７および投射レンズ３８を備えている。レンズアレイ２１ａは、光源ランプからの光束を複数の部分光に分割する光束分割光学素子としての機能を有し、照明光軸と直交する面内に所定のピッチ（配列ピッチ）Ｐでマトリクス状に配列される複数の光学素子（図示略）を備えて構成されている。レンズアレイ２１ｂは、レンズアレイ２１ａにより分割された複数の部分光束の発散角を調節する光学素子であり、レンズアレイ２１ａと同様に照明光軸と直交する面内にマトリクス状に配列される複数の光学素子（図示略）を備えて構成されている。
【００１７】
重畳レンズ２２は、一対のレンズアレイ２１ａ、２１ｂを経た複数の部分光束を集光して液晶ライトバルブ３９の画像形成領域上に重畳させる。
また、プロジェクター１１は、ランプ２が発した光Ｌのうち液晶ライトバルブ３９に入射す光量の調整（以下、「調光」ともいう）を行う調光装置３０を備えている。調光装置３０（調光機構）は、いわゆる可変絞り装置であり、光を遮る遮光板３０ａと、この遮光板３０ａを移動させる移動部３０ｂとを備えている。調光装置３０は、後述する調光装置駆動部１１６（図２）によって移動部３０ｂが、両レンズアレイ２１ａ，２１ｂの間において光学素子のピッチ単位で遮光板３０ａを互いに近接する方向に移動させることにより、光Ｌの一部または全部を遮光する。これにより、液晶ライトバルブ３９に入射する光Ｌの光量の調整（以下、「調光」ともいう）が行われ、ランプ２が放射する光が所定の光量まで減光される。
【００１８】
本実施形態では、調光装置３０による調光の程度（減光レベル）を示す指標として、残光率を用いる。調光装置３０の遮光板３０ａを光Ｌの光路から最大限退避させて液晶ライトバルブ３９に入射する光量を最大にした状態を、残光率１００％とする。調光装置３０によって調光を行う場合、残光率１００％の状態の光量に対する調光後の光量を、残光率で表す。残光率が高いほど調光装置３０を透過する光量が多く、残光率が低いほど透過光量が少ないことになる。なお、残光率１００％の場合の光量、及び、残光率０％の場合の光量は遮光板３０ａの位置や移動部３０ｂの仕様等によって決まるものであり、具体的な光量に制限はない。例えば、残光率０％の場合の光量がゼロでなくても本発明の適用に支障は無い。
【００１９】
液晶ライトバルブ３９ｒ，３９ｇ，３９ｂは、後述する光変調装置駆動部１１９により駆動されて画像を表示し、赤色光Ｌｒ、緑色光Ｌｇおよび青色光Ｌｂを透過させることにより、表示画像に基づいて各色光Ｌｒ，Ｌｇ，Ｌｂを変調する。ダイクロイックミラー３４ｒ，３４ｂ、反射ミラー３５ａ〜３５ｄおよびリレーレンズ３６は、光Ｌの光路内に配設されて各液晶ライトバルブ３９に光Ｌを入射させる。この場合、ダイクロイックミラー３４ｒは、赤色光Ｌｒを透過させ、緑色光Ｌｇおよび青色光Ｌｂを反射させる。また、ダイクロイックミラー３４ｂは、青色光Ｌｂを透過させ、緑色光Ｌｇを反射させる。また、反射ミラー３５ａ〜３５ｄは、光Ｌを反射（全反射）させる。したがって、液晶ライトバルブ３９ｒには光Ｌｗのうちの赤色光Ｌｒだけが入射し、液晶ライトバルブ３９ｇには光Ｌｗのうちの緑色光Ｌｇだけが入射し、液晶ライトバルブ３９ｂには光Ｌｗのうちの青色光Ｌｂだけが入射する。プリズム３７は、各液晶ライトバルブ３９ｒ，３９ｇ，３９ｂによって変調された赤色光Ｌｒ、緑色光Ｌｇおよび青色光Ｌｂを合成する。投射レンズ３８は、プリズム３７で合成された光（投射光Ｌｐ）を拡大してスクリーンＳＣに投射する。
【００２０】
また、投射レンズ３８の前方には、投射レンズ３８から射出される光を遮断するレンズシャッター４２（シャッター機構）が配置されている。レンズシャッター４２は手動により図中矢印方向にスライド可能に配置され、通常、プロジェクター１１の投射時には完全に開放され、投射終了後に閉鎖される。プロジェクター１１は、レンズシャッター４２が閉じられたことを検出するシャッター検出部４３を備え、投射中にレンズシャッター４２が閉じられたことを検出した場合には、ランプ２を消灯または減光する制御を行う。
【００２１】
図２は、画像供給装置５及びプロジェクターを含むプロジェクションシステム１０の機能的構成を示すブロック図である。
プロジェクター１１は、パーソナルコンピューターや各種画像プレーヤー等の外部の画像供給装置（図示略）にＩ／Ｆ（インターフェース）１０１を介して接続され、これらの画像供給装置から入力される入力画像をスクリーンＳＣに投射する。Ｉ／Ｆ１０１は、例えば、ＵＳＢインターフェース、有線または無線ＬＡＮインターフェース、アナログ映像信号が入力されるＶＧＡ端子、デジタル映像信号が入力されるＤＶＩ（Digital Visual Interface）、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子、ＨＤＭＩ（登録商標）規格に準拠したＨＤＭＩコネクター等を備え、上記の端子やコネクターを介して信号を入出力するインターフェース回路を備えていてもよい。上記の画像供給装置としては、ビデオ再生装置、ＤＶＤ再生装置、テレビチューナー装置、ＣＡＴＶのセットトップボックス、ビデオゲーム装置等の画像出力装置、ＰＣ（Personal Computer）等が挙げられる。
プロジェクター１１は、静止画像および動画像（映像）のいずれであっても表示可能である。また、スクリーンＳＣは、例えばほぼ直立して設置された矩形形状のスクリーンであり、プロジェクター用のスクリーンのほか、壁面をスクリーンＳＣとすることも可能である。
【００２２】
また、プロジェクター１１は、外部の装置としての画像供給装置５に接続される外部機器Ｉ／Ｆ４８を備えている。外部機器Ｉ／Ｆ４８は、画像供給装置５専用のインターフェースとして設けられ、画像供給装置５が備える外部Ｉ／Ｆ５９に適合する専用のコネクターを有する。この外部機器Ｉ／Ｆ４８に画像供給装置５から画像データが入力されると、制御部１０３は、後述する入力画像検出部１０３Ａ及び表示制御部１０３Ｂの機能によって、入力された画像データを取得し、Ｉ／Ｆ１０１から入力される画像データと同様に画像処理部１０７によって画像処理を行い、この画像データに基づく画像を投射部３によってスクリーンＳＣに投射する。
【００２３】
画像供給装置５は、例えば携帯型のメディアプレーヤーとして構成され、内部に記憶している画像や、画像供給装置５が外部の装置から取得した画像をプロジェクター１１に供給する機能を備えている。具体的な例としては、画像供給装置５は、オーディオ・ビデオプレーヤーのほか、携帯電話機能を備えたものであってもよい。
【００２４】
画像供給装置５は、所定のプログラムを実行して画像供給装置５の各部を制御するＣＰＵ、ＣＰＵが実行する基本制御プログラムや基本制御プログラムに係るデータ等を不揮発的に記憶したＲＯＭ、及び、ＣＰＵが実行するプログラムやデータを一時的に記憶するＲＡＭ等を備えた制御部５１と、制御部５１が実行するアプリケーションプログラム等を記憶する記憶部５２と、制御部５１の制御に従って各種画面を表示パネル５６に表示する表示部５７と、画像供給装置５の本体に設けられた各種操作子からなるスイッチ部５４及び表示パネル５６の表面に重畳配置されてタッチ操作を検出するタッチスクリーン５５に接続され、これらスイッチ部５４及びタッチスクリーン５５に対する入力操作を検出する操作検出部５３と、制御部５１の制御に従って無線通信回線を介して、他のパーソナルコンピューターやプロジェクター１１等の外部の装置との間で各種データを送受信する無線通信部５８と、プロジェクター１１に対してデジタル画像データを出力する外部Ｉ／Ｆ５９とを備え、これらの各部はバスを介して相互に接続されている。
【００２５】
画像供給装置５は、操作検出部５３が検出した操作に従って動作を開始し、この操作により指定されたアプリケーションプログラムを実行し、例えば、画像ビューワープログラムの機能によって、記憶部５２に記憶している画像データ５２Ｂを再生表示する。ここで、画像供給装置５は、動画像または静止画像である画像データ５２Ｂを、表示部５７の機能により表示パネル５６上に画像を表示するとともに、この表示パネル５６に表示されている画面と同じ画面を表示するための画像データをプロジェクター１１に送信する。
【００２６】
また、画像供給装置５は、無線通信部５８によって画像データ及び制御情報をプロジェクター１１に送信することも可能であるが、本実施形態では外部Ｉ／Ｆ５９から画像データを出力する例について説明する。
記憶部５２は、制御部５１が実行する制御プログラム５２Ａ、及び、画像供給装置５が処理する画像データ５２Ｂ等の各種データを、制御部５１のＣＰＵが読み取り可能な態様で記憶する。さらに、画像供給装置５が静止画像や動画像の撮影機能を備えている場合、記憶部５２は、撮影された撮影画像データを記憶してもよい。
【００２７】
画像供給装置５は、記憶部５２に記憶している制御プログラム５２Ａを実行することにより、プロジェクター１１に画像を出力する画像出力部５１Ａ、外部の装置との間の通信を制御する通信制御部５１Ｂ、表示パネル５６における表示を制御する表示制御部５１Ｃとして機能する。
画像出力部５１Ａは、外部Ｉ／Ｆ５９を介してプロジェクター１１に接続されたことを検出した後、操作検出部５３の操作によって選択された画像データ５２Ｂ、または、通信制御部５１Ｂによって外部の装置から取得した画像データを表示するためのデータを生成し、外部Ｉ／Ｆ５９を介してプロジェクター１１に出力する。ここで、画像出力部５１Ａは、画像データ５２Ｂまたは外部の装置から取得した画像データの解像度、フレームレート、色調、データフォーマット等をプロジェクター１１に合わせて調整あるいは変換する処理を実行することも可能である。また、画像出力部５１Ａは、外部Ｉ／Ｆ５９がプロジェクター１１から取り外されたことを検出すると、外部Ｉ／Ｆ５９からのデータの出力を停止する。
【００２８】
プロジェクター１１は、大きく分けて光学的な画像の形成を行う投射部３（画像表示手段）と、この投射部３に入力される表示信号を電気的に処理する画像処理系とからなる。投射部３は、照明装置３１、変調手段としての光変調装置３２、及び投射光学系３３から構成されている。
照明装置３１は、光源として上記のランプ２を備えている。照明装置３１が備える光源としては、ランプ２のほか、ＬＥＤ（Light Emitting Diode）等を用いることもできる。照明装置３１は、ランプ２の他に、上述した一対のレンズアレイ２１ａ、２１ｂ、重畳レンズ２２、調光装置３０を備えている。また、照明装置３１は、ランプ２及び調光装置３０に対して外気を吹き付けることにより、ランプ２及び調光装置３０を冷却する冷却ファン２５を備えている。冷却ファン２５はランプ２及び調光装置３０の近傍に設置してもよいし、ランプ２及び調光装置３０に送風する送風路が形成されている場合には、この送風路に連通する位置に設けてもよい。また、冷却ファン２５を、ランプ２を含む各部に電源を供給する電源回路部（図示略）に対しても送風するように配置してもよい。
【００２９】
調光装置３０は調光装置駆動部１１６に接続され、この調光装置駆動部１１６が移動部３０ｂ（図１）を駆動することにより、遮光板３０ａ（図１）を光Ｌの光路上に進退させる。冷却ファン２５には、冷却ファン２５に駆動電流を供給する冷却ファン駆動部１１８が接続され、この駆動電流に応じた回転数で冷却ファン２５が回転する。冷却ファン駆動部１１８は、冷却ファン２５に供給する駆動電流を制御することで、冷却ファン２５の回転数を少なくとも２段階以上に切り替えることができる。また、ランプ２には、ランプ２の点灯制御を行う光源駆動部１１７が接続され、光源駆動部１１７は制御部１０３の制御に従ってランプ２を点灯／消灯させる。
【００３０】
光変調装置３２は、調光装置３０が発した光を変調するための構成を有し、図１に示したように、ＲＧＢの三原色に対応した３枚の液晶パネルからなる液晶ライトバルブ３９を備え、この液晶ライトバルブ３９により変調された変調光が投射光学系３３に放射される。なお、光変調装置３２が光を変調する構成は、３枚の透過型液晶パネルを用いた液晶ライトバルブ３９の構成に限らず、例えば３枚の反射型の液晶パネルを用いることも可能であるし、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成することも可能である。光変調装置３２が１枚のみの液晶パネルまたはＤＭＤを用いる場合には、図１に示したダイクロイックミラー３４ｒ，３４ｂ及びプリズム３７等の合成光学系に相当する部材は不要である。また、液晶パネル及びＤＭＤ以外にも、光源が発した光を変調可能な構成であれば問題なく採用できる。
【００３１】
投射光学系３３は、投射する画像の拡大・縮小および焦点の調整を行う投射レンズ３８（図１）と、この投射レンズを駆動してズームの度合いを調整するズーム調整用モーター（図示略）及びフォーカスの調整を行うフォーカス調整用モーター（図示略）等を備えている。投射光学系３３は、光変調装置３２で変調された入射光を、投射レンズ３８を用いてスクリーンＳＣ（表示面）上に投射し、結像させる。投射光学系３３には、制御部１０３の制御に従って投射光学系３３が備える各モーターを駆動する投射光学系駆動部１２１が接続されている。
【００３２】
画像処理系は、プロジェクター１１全体を統合的に制御する制御部１０３を中心に構成され、制御部１０３が処理するデータや制御部１０３が実行する制御プログラム１０５Ａを記憶した記憶部１０５、操作パネル４５及びリモコン受光部４１を介した操作を検出する入力処理部１２３、Ｉ／Ｆ１０１に入力された画像データを処理する画像処理部１０７、及び、画像処理部１０７から出力される表示信号に基づいて光変調装置３２の液晶ライトバルブ３９を駆動する光変調装置駆動部１１９を備えている。
【００３３】
制御部１０３は、記憶部１０５に記憶された制御プログラム１０５Ａを読み出して実行することにより、プロジェクター１１の各部を制御する。制御部１０３は、入力処理部１２３から入力される操作信号に基づいて、ユーザーが行った操作の内容を検出し、この操作に応じて画像処理部１０７、調光装置駆動部１１６、光源駆動部１１７、冷却ファン駆動部１１８、光変調装置駆動部１１９、投射光学系駆動部１２１及び光源駆動部１１７を制御して、スクリーンＳＣに画像を投射させる。
【００３４】
プロジェクター１１の本体には、ユーザーが操作を行うための各種スイッチ及びインジケーターランプを備えた操作パネル４５が配置されている。操作パネル４５は入力処理部１２３に接続されており、入力処理部１２３は、制御部１０３の制御に従い、プロジェクター１１の動作状態や設定状態に応じて操作パネル４５のインジケーターランプを適宜点灯或いは点滅させる。この操作パネル４５のスイッチが操作されると、操作されたスイッチに対応する操作信号が入力処理部１２３から制御部１０３に出力される。
また、プロジェクター１１は、ユーザーが使用するリモコン（図示略）を有する。リモコンは各種のボタンを備えており、これらのボタンの操作に対応して赤外線信号を送信する。プロジェクター１１の本体には、リモコンが発する赤外線信号を受光するリモコン受光部４１が配置されている。リモコン受光部４１は、リモコンから受光した赤外線信号をデコードして、リモコンにおける操作内容を示す操作信号を生成し、制御部１０３に出力する。
【００３５】
制御部１０３は、Ｉ／Ｆ１０１または外部機器Ｉ／Ｆ４８を介して入力される画像の状態を検出する入力画像検出部１０３Ａと、Ｉ／Ｆ１０１または外部機器Ｉ／Ｆ４８から入力された画像データを取得して、画像処理部１０７、光源駆動部１１７、光変調装置駆動部１１９、及び投射光学系駆動部１２１を制御して、取得した画像データに基づく画像を投射する表示制御部１０３Ｂ（画像取得手段）と、調光装置駆動部１１６による調光状態を制御する調光制御部１０３Ｃ（調光制御手段）とを備えている。
【００３６】
調光制御部１０３Ｃは、表示制御部１０３Ｂが取得した画像データの内容に基づいて調光装置３０の調光状態を制御し、画像データのフレーム毎に輝度分布を算出し、この輝度分布に基づいて、液晶ライトバルブ３９の階調範囲を最大限に活用して当該フレームを投写できるように光Ｌの光量を調整する。例えば、全体的に輝度が高いフレームについては減光レベルを小さく設定し、調光装置３０によって光Ｌの光量を多くすることで、このフレーム中の暗部が潰れないように正確な階調で表示できるようにし、輝度の低いフレームについては減光レベルを大きくし、光Ｌの光量を少なくすることで、液晶ライトバルブ３９の階調範囲を最大限に活用して正確な階調による表示を実現する。このように、高品位の投射画像を得るために調光装置３０によって光量を調整する制御を、可変絞り制御（調光制御）と呼ぶ。
【００３７】
画像処理部１０７は、制御部１０３の制御に従って、Ｉ／Ｆ１０１または外部機器Ｉ／Ｆ４８を介して入力された画像データに基づいて表示信号を生成し、光変調装置駆動部１１９に出力する。光変調装置駆動部１１９は、画像処理部１０７から入力される表示信号に基づいて、光変調装置３２を駆動する。これにより、画像供給装置５より入力されたデジタル画像データが画像処理部１０７によって処理され、処理された画像データに基づいて駆動された光変調装置３２によって光Ｌが画像光に変調され、この画像光が投射光学系３３を介して、スクリーンＳＣ上に投射画像として投射される。
【００３８】
また、制御部１０３は、リモコン（図示略）が備えるＡＶミュートキー（図示略）の操作をリモコン受光部４１により検出した場合、及び、操作パネル４５が備えるＡＶミュートキー（図示略）の操作を検出した場合に、スクリーンＳＣへの画像の投射を停止するＡＶミュート機能を有する。このＡＶミュート機能の実行時、制御部１０３は画像処理部１０７を制御して、黒一色の画像が投射されるように光変調装置駆動部１１９へ出力する表示信号を制御する。このため、調光装置３０が発した光はほぼ液晶ライトバルブ３９において遮断され、スクリーンＳＣには何も写らない状態となる。制御部１０３は、上記のＡＶミュートキーを再び押下するなどの解除操作が行われるとＡＶミュート機能を停止し、通常の画像投射状態に復帰する。
制御部１０３は、シャッター検出部４３によってレンズシャッター４２が閉じたことを検出した場合にも、上述したＡＶミュートキーの操作時と同様に、ＡＶミュート機能を実行する。この場合、制御部１０３は、シャッター検出部４３がレンズシャッター４２の閉鎖を検出するとＡＶミュート機能を開始し、シャッター検出部４３の検出状態の変化によりレンズシャッター４２が開いたことを検知した場合にＡＶミュート機能を停止して、通常の画像投射状態に復帰する。
【００３９】
このように構成されるプロジェクター１１において、可変絞り制御を実行して調光装置３０の減光レベルを高くしている状態、すなわち遮光板３０ａが光Ｌの光路に大きく張り出している状態では、遮光板３０ａがランプ２の光のエネルギーを多く受けて高温になりやすい。このような状態が長時間継続すると、調光装置３０の過熱を招く可能性がある。そこで、プロジェクター１１は、調光制御部１０３Ｃの機能により、可変絞り制御の実行中に調光装置３０が過熱しないように、所定の条件に基づいて、調光装置３０を強制的に開放状態にする強制開放制御を行う。
【００４０】
この強制開放制御では、調光制御部１０３Ｃが、可変絞り制御によって光Ｌの光路に進出している遮光板３０ａ（図１）を、画像データの輝度分布等にかかわらず光路から退出させて、調光装置３０の温度上昇を回避する。この強制開放制御の実行中は、上述したように画像データに基づいて設定された減光レベルから、徐々に減光レベルを低くする制御が行われる。具体的には、遮光板３０ａが光Ｌの光路から徐々に、少なくとも複数の段階を経て退出するよう制御され、最終的に遮光板３０ａが光路から完全に退出し、残光率が１００％（遮光板３０ａが完全に光Ｌの光路から退出する状態）となる。ここで遮光板３０ａが徐々に退出することで、スクリーンＳＣ上の投射画像の輝度が徐々に変化するので、見ている人に奇異な印象を抱かせずに強制開放制御を行えるという利点がある。また、この強制開放制御の実行時に、調光装置３０の減光レベルの変化に合わせて、画像処理部１０７及び光変調装置駆動部１１９を制御し、液晶ライトバルブ３９に出力される画像信号が表す画像の階調を補正してもよい。この場合、調光装置３０の残光率が向上するのに合わせて、液晶ライトバルブ３９に出力される画像信号が表す画像の階調を暗くし、最終的にスクリーンＳＣに投射される画像の全体的な輝度をほとんど変化させないようにすることができる。この場合、投射画像中の細かい階調表現において品位の低下が発生する可能性があるが、投射画像全体の明るさが大幅に変わってしまうことがなく、画像の投射を継続しながら調光装置３０の過熱を防止できる。
【００４１】
図３、図５及び図６は、プロジェクター１１の動作を示すフローチャートであり、特に、可変絞り制御及び強制開放制御に係る動作を示す。
調光制御部１０３Ｃは、可変絞り制御の実行状態を確認し（ステップＳ１１）、入力処理部１２３によって可変絞り制御の終了を指示するユーザーの操作を検出したか否かを判別する（ステップＳ１２）。可変絞り制御の終了を指示するユーザーの操作が無ければ（ステップＳ１２；Ｎｏ）、調光制御部１０３Ｃは記憶部１０５に格納された設定データ（図示略）を参照し、強制開放制御が有効に設定されているか否かを判別する（ステップＳ１３）。
【００４２】
ここで、強制開放制御に関する設定項目について説明する。
図４は、強制開放制御に係る設定項目の例を示す図であり、これらの設定項目に対する設定値は、記憶部１０５に設定データとして記憶される。
図４に例示する設定項目のうち、強制開放制御の有効／無効フラグは、プロジェクター１１における強制開放制御そのものの実行の可否を設定する項目であり、フラグが０（ＦＡＬＳＥ）に設定されている場合は、調光制御部１０３Ｃは強制開放制御を行わない。
入力信号の輝度レベルの閾値は、外部機器Ｉ／Ｆ４８及びＩ／Ｆ１０１からの画像の入力の有無を判定する閾値である。入力画像検出部１０３Ａは、画像が入力されているか否かを、入力されている信号の輝度レベルが図４に示す閾値以上であるか閾値未満であるかに基づいて判定する。輝度レベルは、輝度が最大の入力信号の輝度レベルを１００％として設定される。
【００４３】
絞り閉時間タイマーのタイムアウト時間は、可変絞り制御を開始してから強制開放制御に移行するまでの制限時間に相当する。すなわち、調光制御部１０３Ｃは、可変絞り制御を開始してから絞り閉時間タイマーのカウントを開始し、カウント値がタイムアウト時間に達すると、調光装置３０の過熱を防止するため強制開放制御に移行する。この絞り閉時間タイマーのタイムアウト時間は、調光装置３０の温度が、遮光板３０ａの損傷等が懸念されるような温度にならない範囲で設定されることが好ましい。
強制開放時間タイマーのタイムアウト時間は、強制開放制御を実行する制限時間に相当する。調光制御部１０３Ｃは、強制開放制御を開始してから強制開放時間タイマーのカウントを開始し、カウント値がタイムアウト時間に達すると強制開放制御を終了して可変絞り制御に復帰する。この強制開放時間タイマーのタイムアウト時間は、可変絞り制御によって高温になった調光装置３０が冷却されるのに要する時間を考慮して設定されることが好ましい。より具体的には、この強制開放時間タイマーのタイムアウト時間が経過した後で可変絞り制御を開始し、上記の絞り閉時間タイマーのタイムアウト時間以内に調光装置３０の温度が遮光板３０ａの損傷等が懸念されるような温度にならない範囲で設定されることが好ましい。
【００４４】
また、通常時の絞り開方向の変化量、及び、通常時の絞り閉方向の変化量は、可変絞り制御の実行時に遮光板３０ａを移動させる移動速度を定める設定値である。本実施形態では、移動部３０ｂはステッピングモーターによって遮光板３０ａを移動させるので、通常時の絞り開方向の変化量は上記ステッピングモーターの１秒あたりのステップ数で設定される。図４の例では、遮光板３０ａを光Ｌの光路に進出させる方向（絞り閉方向）の変化量と遮光板３０ａを光Ｌの光路から退出させる方向（絞り開方向）の変化量とを個別に設定可能となっている。
強制開放時の絞り開方向の変化量、及び、強制開放復帰時の絞り閉方向の変化量は、強制開放制御の実行時に遮光板３０ａを移動させる移動速度を定める設定値であり、通常時の変化量と同様に上記ステッピングモーターの１秒あたりのステップ数で設定される。図４の例では、遮光板３０ａを光Ｌの光路に進出させる方向（絞り閉方向）の変化量と遮光板３０ａを光Ｌの光路から退出させる方向（絞り開方向）の変化量とを個別に設定可能となっている。ステッピングモーターを用いることにより、１ステップ単位で遮光板３０ａが移動されるので、強制開放制御においては上述したように残光率を徐々に変化させることができる。
これら図４に例示した設定値を格納した設定データに基づいて、図３の動作が実行される。
【００４５】
図３のステップＳ１３で、強制開放制御が有効に設定されている場合（ステップＳ１３；Ｙｅｓ）、調光制御部１０３Ｃは、画像処理部１０７が光変調装置駆動部１１９に出力する表示信号の輝度を測定し（ステップＳ１４）、可変絞り制御を実行して、測定した輝度に対応して調光装置３０の残光率を求めて調光装置３０を駆動する（ステップＳ１５）。
ここで、調光制御部１０３Ｃは、測定した輝度が予め設定された規定値以下であるか否かを判別する（ステップＳ１６）。表示する画像の輝度が低い場合には調光装置３０の残光率が低く、調光装置３０によって多くの光を遮る必要がある。これに対し、輝度が高い場合は、残光率が高く、調光装置３０による調光を長時間継続しても過熱が懸念されないことがある。ステップＳ１６では、表示する画像の輝度が調光装置３０の過熱を招かない程度であるか、過熱を回避するための制御が必要であるかを、規定値に基づいて判定する。この規定値は、例えば、調光装置３０による残光率が４０％以下となる場合に相当する値である。
そして、表示する画像の輝度が規定値以下の場合（ステップＳ１６；Ｙｅｓ）、調光制御部１０３Ｃは過熱を回避する制御を行うため、絞り閉時間タイマーが停止しているか否かを判別し（ステップＳ１７）、絞り閉時間タイマーが停止中であれば（ステップＳ１７；Ｙｅｓ）、カウントを開始する（ステップＳ１８）。また、絞り閉時間タイマーがカウント中であれば（ステップＳ１７；Ｎｏ）、そのままカウントを実行する。この絞り閉時間タイマーは、制御部１０３を構成するＣＰＵの機能により実現される。
【００４６】
その後、調光制御部１０３Ｃは、絞り閉時間タイマーのカウント値が、記憶部１０５に記憶された設定データにより定められるタイムアウト時間に達したか否かを判別し（ステップＳ１９）、タイムアウト時間に達していない場合は（ステップＳ１９；Ｎｏ）、絞り閉時間タイマーのカウントを継続して、１つのカウント値に相当する時間だけ待機して、ステップＳ１１に戻る。
また、表示する画像の輝度が規定値より高輝度の場合には（ステップＳ１６；Ｎｏ）、過熱を回避する制御が必要ないので、調光制御部１０３Ｃは絞り閉時間タイマーのカウントを停止してカウント値をリセットし（ステップＳ２１）、ステップＳ１１に戻る。
【００４７】
これに対し、絞り閉時間タイマーのカウント値がタイムアウト時間に達した場合（ステップＳ１９；Ｙｅｓ）、調光制御部１０３Ｃは強制開放制御を開始し、調光装置３０を徐々に開いて残光率が１００％の位置まで遮光板３０ａを移動させる（ステップＳ２２）。この動作において、調光制御部１０３Ｃは、移動部３０ｂのステッピングモーターを、数ステップずつ段階的に移動させてもよいし、ゆっくりと連続して移動させてもよい。
調光制御部１０３Ｃは絞り閉時間タイマーを停止し（ステップＳ２３）、強制開放時間タイマーのカウントを開始する（ステップＳ２４）。そして、強制開放時間タイマーをカウントアップして１つのカウント値に相当する時間だけ待機し（ステップＳ２５）、強制開放時間タイマーのカウント値が、記憶部１０５に記憶された設定データにより定められるタイムアウト時間に達したか否かを判別する（ステップＳ２６）。
ここで、強制開放時間タイマーがタイムアウト時間に達していない場合（ステップＳ２６；Ｎｏ）、調光制御部１０３ＣはステップＳ２５に戻ってカウントを継続し、強制開放時間タイマーがタイムアウト時間に達した場合（ステップＳ２６；Ｙｅｓ）、この強制開放時間タイマーのカウントを停止してカウント値をセットし（ステップＳ２７）、調光装置３０を強制開放制御前の状態に復帰させる（ステップＳ２８）。すなわち、調光制御部１０３Ｃは、調光装置３０の遮光板３０ａを、表示する画像の輝度に対応した残光率となる位置まで移動させる。この復帰の制御を行った後、調光制御部１０３ＣはステップＳ１１に戻る。
【００４８】
また、入力処理部１２３によって可変絞り制御の終了を指示するユーザーの操作を検出した場合（ステップＳ１２；Ｙｅｓ）、調光制御部１０３Ｃは、調光装置３０を開放位置、すなわち残光率１００％となる位置まで移動させ（ステップＳ２９）、絞り閉時間タイマーのカウントを停止してカウント値をリセットし（ステップＳ３０）、本処理を終了する。さらに、強制開放制御の無効フラグが設定されている場合には（ステップＳ１３；Ｎｏ）、ステップＳ３０に移行して、絞り閉時間タイマーのカウントを停止してカウント値をリセットし、本処理を終了する。
【００４９】
このように、プロジェクター１１は、可変絞り制御を行うことにより表示する画像の輝度に合わせて調光装置３０を制御して、残光率を調整することで、高品位の画像を投射できる。そして、調光装置３０の過熱が懸念されるような条件が成立した場合には、強制開放制御を行って、残光率が１００％となる位置まで遮光板３０ａを移動させる。具体的には、残光率が所定以下（減光レベルが所定以上）の状態が、絞り閉時間タイマーのタイムアウト時間として設定された時間に達した場合に、強制開放制御を行う。これにより、調光装置３０の過熱を回避できる。
【００５０】
ところで、上述したＡＶミュートを行う場合、何も画像を投射しない場合、レンズシャッター４２が閉じられた場合には、ランプ２が発した光が液晶ライトバルブ３９またはレンズシャッター４２によって遮られるので、調光装置３０による可変絞り制御を行わなくても投射画像の品位に影響しない。そこで、プロジェクター１１は、ＡＶミュートを行う場合、外部機器Ｉ／Ｆ４８またはＩ／Ｆ１０１から入力されている画像の入力が無くなった場合、及び、レンズシャッター４２が閉じられた場合には、可変絞り制御を停止し、調光装置３０を残光率１００％の完全開放状態とする。これにより、調光装置３０の過熱を確実に防止でき、また、不要な可変絞り制御に伴う演算処理を省いて処理の効率化を図ることができる。
【００５１】
図５は、レンズシャッター４２が閉じられた場合、ＡＶミュートの開始が指示された場合、及び、外部機器Ｉ／Ｆ４８またはＩ／Ｆ１０１を介した画像の入力が停止した場合の動作を特に示している。
シャッター検出部４３がレンズシャッター４２の閉鎖を検出したとき、ＡＶミュートを指示する操作が行われ、液晶ライトバルブ３９によってＡＶミュートを開始したとき、及び、入力画像検出部１０３Ａが外部機器Ｉ／Ｆ４８またはＩ／Ｆ１０１を介した画像の入力の停止（例えば、無信号状態への変化）を検出したときに、調光制御部１０３Ｃに対する割り込みが行われ、図５の動作が開始される。
【００５２】
この図５の動作で、調光制御部１０３Ｃは、可変絞り制御の実行状態を確認し（ステップＳ４１）、可変絞り制御を実行中か否かを判別する（ステップＳ４２）。ここで、可変絞り制御の実行中であれば（ステップＳ４２；Ｙｅｓ）、調光制御部１０３Ｃは、ステップＳ２２（図３）と同様に、調光装置３０を徐々に開いて残光率が１００％の位置まで遮光板３０ａを移動させ（ステップＳ４３）、本処理を終了する。この動作において、調光制御部１０３Ｃは、移動部３０ｂのステッピングモーターを、数ステップずつ段階的に移動させてもよいし、ゆっくりと連続して移動させてもよい。また、可変絞り制御の実行中でなければ（ステップＳ４２；Ｎｏ）、そのまま本処理を終了する。
【００５３】
その後、レンズシャッター４２が開かれた場合、ＡＶミュートの終了が指示された場合、及び、外部機器Ｉ／Ｆ４８またはＩ／Ｆ１０１を介した画像の入力が再開した場合には、調光制御部１０３Ｃは図６に示す動作を実行する。すなわち、図５の動作を実行後に、シャッター検出部４３がレンズシャッター４２の開放を検出したとき、ＡＶミュートの終了を指示する操作が行われ、液晶ライトバルブ３９によって通常の表示を開始したとき、及び、入力画像検出部１０３Ａが外部機器Ｉ／Ｆ４８またはＩ／Ｆ１０１を介した画像の入力の再開を検出したときに、調光制御部１０３Ｃに対する割り込みが行われ、図６の動作が開始される。この図６の動作で、調光制御部１０３Ｃは、可変絞り制御の実行状態を確認し（ステップＳ４５）、図５のステップＳ４２で可変絞り制御を実行中であったか否かを判別する（ステップＳ４６）。可変絞り制御の実行中であって、この可変絞り制御を図５のステップＳ４３で一時停止していた場合は（ステップＳ４６；Ｙｅｓ）、調光制御部１０３Ｃは、図３に示す可変絞り制御を再開する。これに対し、可変絞り制御の実行中でなかった場合は（ステップＳ４６；Ｎｏ）、本処理を終了する。
【００５４】
図７は、強制開放制御を行わない場合の調光装置の温度変化の例を示す図表であり、図８は、強制開放制御を実行した場合の調光装置の温度変化の例を示す図表である。
なお、図７に示す温度変化は図８に対する対照例として、調光装置３０が過熱する状態を無視した例を示したものであり、本願発明を適用していない装置や強制開放制御を無効に設定した装置において図７のような温度変化が実際に発生することを意味する図表ではない。
【００５５】
強制開放制御を行わない場合、調光装置３０の残光率が所定値以下となるような可変絞り制御を続けると、遮光板３０ａがランプ２の光Ｌのエネルギーを受けることで、調光装置３０の温度が徐々に上昇する。特に、調光装置３０が最大限に光Ｌを遮る全閉状態では、図７に示すように、時間の経過とともに調光装置３０の温度が上昇し、調光装置３０の過熱が懸念される警告温度Ｔｗに達する。その後もさらにランプ２が点灯を続け、可変絞り制御を継続すると、ついには調光装置３０の損傷の懸念がある異常温度Ｔａまで達してしまう可能性がある。
【００５６】
これに対し、調光装置３０の可変絞り制御の状態に応じて強制開放制御を行うと、図８に示すように、調光装置３０の温度を警告温度Ｔｗ以下に保つことができる。すなわち、警告温度Ｔｗに達する前に絞り閉時間タイマーのカウント値がタイムアウト時間ｔ１に達して、強制開放制御が行われ、強制開放時間タイマーのタイムアウト時間に達するまで、調光装置３０が残光率１００％の状態となって温度が低下する。このように、調光装置３０の過熱を確実に回避することができる。
【００５７】
以上説明したように、本発明を適用した実施形態に係るプロジェクター１１によれば、光源が発した光を変調して投射するプロジェクター１１であって、外部機器Ｉ／Ｆ４８またはＩ／Ｆ１０１を介して画像を取得する表示制御部１０３Ｂと、表示制御部１０３Ｂにより取得された画像に基づいて光源が発した光を変調する光変調装置３２と、光源から射出される光量を減光する調光装置３０と、表示制御部１０３Ｂにより取得された画像に基づいて、調光装置３０による調光制御を行う調光制御部１０３Ｃと、を備え、調光制御部１０３Ｃは、当該プロジェクター１１の動作状態または表示制御部１０３Ｂにより取得された画像の状態の少なくともいずれかが予め設定された条件に該当する場合に、調光制御の実行を停止する。これにより、予め設定された条件に該当する場合に調光制御の実行を停止するので、例えば調光制御を行う必要がない場合に不要な調光制御を省き、調光装置３０の過熱を防止するとともに、処理効率の向上を図ることができる。
ここで、調光制御部１０３Ｃは、予め設定された条件として、表示制御部１０３Ｂが取得した外部の装置からの入力画像の入力が停止した場合、レンズシャッター４２により光が遮られる場合、ＡＶミュートを実行して光変調装置３２によって光量を所定の光量以下に減光する場合に、調光制御を停止するので、調光を行う必要がない場合に、不要な調光制御を停止できる。
【００５８】
また、調光制御部１０３Ｃは、調光制御の実行を停止する際に強制開放制御を行い、ランプ２が射出する光量を減光しないよう調光装置３０を制御するので、より確実に調光装置３０の過熱を防止できる。
さらに、調光制御部１０３Ｃは、調光装置３０が、残光率が４０％以下となるような調光状態を継続した場合に、調光装置３０による減光レベルを低下させる強制開放制御を行い、調光装置３０の過熱を防止できる。
【００５９】
なお、上述した実施形態は本発明を限定するものではなく、上記実施形態とは異なる態様として本発明を適用することも可能である。例えば、上記実施形態では、調光装置３０が遮光板３０ａと移動部３０ｂとを備え、移動部３０ｂのステッピングモーターにより遮光板３０ａを進退させる構成として説明したが、本発明はこれに限定されるものではなく、例えば、回転式のフラップ形状の遮光板を備え、この遮光板が回転することにより光Ｌの光路に張り出して、光を遮る構成とし、この遮光板の回転角度により残光率を制御する構成としてもよい。また、プロジェクター１１は、スクリーンＳＣの正面側から画像を投射する構成であっても、透過型のスクリーンＳＣの背面側から画像を投射する構成であってもよい。
【００６０】
さらに、上記各実施形態において記憶部１０５が記憶していた制御プログラム１０５Ａや設定データ等を、可搬型の記録媒体に記憶した構成とすることも可能であるし、プロジェクター１１に通信ネットワークを介して接続された他の装置が、当該装置からダウンロード可能に制御プログラム１０５Ａや設定データを記憶した構成としてもよい。
また、図２に示したプロジェクションシステム１０の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクションシステム１０の具体的な細部構成について、本発明の趣旨を逸脱しない範囲で任意に変更可能である。
【符号の説明】
【００６１】
２…ランプ（光源）、３…投射部、５…画像供給装置（外部の装置）、１０…プロジェクションシステム、１１…プロジェクター、２５…冷却ファン、３０…調光装置（調光機構）、３０ａ…遮光板、３０ｂ…移動部、３１…照明装置、３２…光変調装置（変調手段）、３３…投射光学系、３８…投射レンズ、３９…液晶ライトバルブ、４２…レンズシャッター（シャッター機構）、４３…シャッター検出部、４８…外部機器Ｉ／Ｆ、５１…制御部、５２…記憶部、５２Ａ…制御プログラム、５２Ｂ…画像データ、１０１…Ｉ／Ｆ、１０３…制御部、１０３Ａ…入力画像検出部、１０３Ｂ…表示制御部（画像取得手段）、１０３Ｃ…調光制御部（調光制御手段）、１０５…記憶部、１０５Ａ…制御プログラム、１０７…画像処理部、１１６…調光装置駆動部、１１７…光源駆動部、１１８…冷却ファン駆動部、１１９…光変調装置駆動部、ＳＣ…スクリーン。
【図１】
0005861324.tif 000002
【図２】
0005861324.tif 000003
【図３】
0005861324.tif 000004
【図４】
0005861324.tif 000005
【図５】
0005861324.tif 000006
【図６】
0005861324.tif 000007
【図７】
0005861324.tif 000008
【図８】
0005861324.tif 000009